(57)【要約】【課題】ランプの長寿命化を図り、少ない消費電力で十分な明るさを確保することができ、全体のコンパクト化、軽量化が可能でありながら、さらに、発電機の燃料切れに際しても電力の供給が可能で、再点灯までの時間が短い、モバイルＬＥＤ投光器を提供する。【解決手段】モバイルＬＥＤ投光器１において、インバーター発電機１０と、インバーター発電機１０に接続されたインバーター電源供給器２０と、インバーター電源供給器２０から供給される電力によって照明を行うＬＥＤランプ３０と、インバーター発電機１０及びインバーター電源供給器２０を支持する支持ベース４０と、支持ベース４０から立設されてＬＥＤランプ３０を支持する折り畳み可能なスタンド５０とを備える。【選択図】図１
0003159847.tif 000002
【実用新案登録請求の範囲】
【請求項１】
インバーター発電機と、
前記インバーター発電機に接続されたインバーター電源供給器と、
前記インバーター電源供給器から供給される電力によって照明を行うＬＥＤランプと、
前記インバーター発電機及び前記インバーター電源供給器を支持する支持ベースと、
前記支持ベースから立設されて前記ＬＥＤランプを支持する折り畳み可能なスタンドと、を備える、
ことを特徴とするモバイルＬＥＤ投光器。
【請求項２】
前記スタンドは、
前記支持ベースに立設された筒状の第１支柱と、
前記第１支柱の内側に昇降自在に配置された筒状の第２支柱と、
前記第１支柱に対して前記第２支柱を昇降させて前記第１支柱からの前記第２支柱の突出長さを変更する昇降機構と、
前記第２支柱の内側に昇降自在に配置されて前記第２支柱からの突出長さを変更可能で、かつ前記第２支柱に着脱自在な第３支柱と、
前記第３支柱から横方向に延びて前記ＬＥＤランプを支持するアームと、を備える、
ことを特徴とする請求項１に記載のモバイルＬＥＤ投光器。
【請求項３】
前記第３支柱は、前記上下方向の軸心を基準として前記アームを揺動自在に支持する揺動機構を有する、
ことを特徴とする請求項２に記載のモバイルＬＥＤ投光器。
【請求項４】
前記アームによって上下方向の軸心を基準に回転自在に支持されるとともに、正面側にＬＥＤチップが配置された前記ＬＥＤランプの左側部及び右側部を横方向の軸心を基準に回転自在に支持する調整具を有する、
ことを特徴とする請求項３に記載のモバイルＬＥＤ投光器。
【請求項５】
前記インバーター電源供給器と前記ＬＥＤランプとを接続するコードが巻かれるリールを有する、
ことを特徴とする請求項２ないし４のいずれか１項に記載のモバイルＬＥＤ投光器。
【考案の詳細な説明】
【技術分野】
【０００１】
本考案は、ＬＥＤランプを使用した投光器に関し、詳しくは、軽量化、コンパクト化を図って移動を容易にした、モバイルＬＥＤ投光器に係る。
【背景技術】
【０００２】
従来、投光器に使用するランプとしては、水銀ランプやハロゲンランプが一般に使用されていた（例えば、特許文献１参照）。
【０００３】
例えば、道路工事において照明に使用する投光器は、電源を確保することが困難なこともあるため、発電機と組み合わせて使用される場合が多い。
【先行技術文献】
【特許文献】
【０００４】
【特許文献１】特開２００８−２１４６０号公報
【考案の概要】
【考案が解決しようとする課題】
【０００５】
しかしながら、従来の発電機と水銀ランプやハロゲンランプとを組み合わせて構成した投光器には、以下のような問題があった。
【０００６】
・ランプの寿命が短い。
・所定の明るさを得るための消費電力が多いため、例えば、出力の高い発電機が必要となり、消費燃料及び排ガスの排出量が増加するとともに、発電機自体が大型化、重量化し、ひいては投光器全体が大型化、重量化してしまう。
・発電機の停止中は、ランプに電力を供給することができない。
・ガソリン等の燃料切れにより、ランプに対する電力の供給が不能となる。
・電力の供給を停止してから、再点灯までに時間がかかり作業性が悪い。
【０００７】
本考案は、上述した事情に鑑みてなされたものであり、ランプの長寿命化を図り、少ない消費電力で十分な明るさを確保することができ、全体のコンパクト化、軽量化が可能でありながら、さらに、発電機の燃料切れに際しても電力の供給が可能で、再点灯までの時間が短い、モバイルＬＥＤ投光器を提供することを目的とするものである。
【課題を解決するための手段】
【０００８】
請求項１に係る考案は、モバイルＬＥＤ投光器において、インバーター発電機と、前記インバーター発電機に接続されたインバーター電源供給器と、前記インバーター電源供給器から供給される電力によって照明を行うＬＥＤランプと、前記インバーター発電機及び前記インバーター電源供給器を支持する支持ベースと、前記支持ベースから立設されて前記ＬＥＤランプを支持する折り畳み可能なスタンドと、を備える、ことを特徴とする。
【０００９】
請求項２に係る考案は、請求項１に係るモバイルＬＥＤ投光器において、前記スタンドは、前記支持ベースに立設された筒状の第１支柱と、前記第１支柱の内側に昇降自在に配置された筒状の第２支柱と、前記第１支柱に対して前記第２支柱を昇降させて前記第１支柱からの前記第２支柱の突出長さを変更する昇降機構と、前記第２支柱の内側に昇降自在に配置されて前記第２支柱からの突出長さを変更可能で、かつ前記第２支柱に着脱自在な第３支柱と、前記第３支柱から横方向に延びて前記ＬＥＤランプを支持するアームと、を備える、ことを特徴とする。
【００１０】
請求項３に係る考案は、請求項２に係るモバイルＬＥＤ投光器において、前記第３支柱は、前記上下方向の軸心を基準として前記アームを揺動自在に支持する揺動機構を有する、ことを特徴とする。
【００１１】
請求項４に係る考案は、請求項３に係るモバイルＬＥＤ投光器において、前記アームによって上下方向の軸心を基準に回転自在に支持されるとともに、正面側にＬＥＤチップが配置された前記ＬＥＤランプの左側部及び右側部を横方向の軸心を基準に回転自在に支持する調整具を有する、ことを特徴とする。
【００１２】
請求項５に係る考案は、請求項２ないし４のいずれか１項に係るモバイルＬＥＤ投光器において、前記インバーター電源供給器と前記ＬＥＤランプとを接続するコードが巻かれるリールを有する、ことを特徴とする。
【考案の効果】
【００１３】
請求項１の考案によれば、ＬＥＤランプを使用することにより、例えば、水銀ランプやハロゲンランプを使用する場合と比較して、長寿命化を図ることができ、短時間での再点灯が可能であり、さらに、所定の明るさを得るための消費電力が少なくて済むので、インバーター発電機の低出力化、小型・軽量化を図ることができる。このため、インバーター発電機の燃料消費量、及び排ガス排出量を低減することができる。また、インバーター発電機、インバーター電源供給器を使用することで、ＬＥＤランプに電力を供給しながら、インバーター電源供給器に蓄電することができるので、例えば、インバーター発電機の燃料切れや意図的な停止時に際しても、インバーター電源供給器からＬＥＤランプに電力を供給することが可能である。
【００１４】
請求項２の考案によれば、投光器の使用時には、スタンドの第１支柱に対して、第２支柱を引き延ばし、また、第２支柱に対して第３支柱を引き延ばして使用することができ、一方、移動時や不使用時には、第２支柱、第３支柱を縮めてコンパクトにすることができる。さらに、第２支柱に対して第３支柱が着脱自在なので、第３支柱から先の部分、すなわち、第３支柱、アーム、ＬＥＤランプを、個別に独立させて使用することができる。これにより、例えば、ＬＥＤランプとして完全防水性のものを使用すれば、水中に付けて、水中を照らすのに使用することも可能である。
【００１５】
請求項３の考案によれば、アームを揺動させて広げたり、折り畳んだりすることができる。
【００１６】
請求項４の考案によれば、調整具により、ＬＥＤランプの左右方向の向き、及び上下方向の向きを調整することができる。
【００１７】
請求項５の考案によれば、インバーター電源供給器とＬＥＤランプとを接続するコードを、リールに巻いて長く確保しておくことにより、上述のように、第３支柱から先を独立させて使用する場合に、コードの長さに応じて遠く離れた箇所での使用が可能となる。
【図面の簡単な説明】
【００１８】
【図１】モバイルＬＥＤ投光器１の正面図である。
【図２】モバイルＬＥＤ投光器１の右側面図である。
【図３】モバイルＬＥＤ投光器１の背面図である。
【図４】モバイルＬＥＤ投光器１の上面図である。
【図５】一方のアーム６０を折り畳んだ状態のモバイルＬＥＤ投光器１の正面図である。
【考案を実施するための形態】
【００１９】
以下、本考案の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２０】
図１〜図５を使用して、本考案を適用したモバイルＬＥＤ投光器１について説明する。ここで、図１は、モバイルＬＥＤ投光器１の正面図である。図２は、モバイルＬＥＤ投光器１の右側面図である。図３は、モバイルＬＥＤ投光器１の背面図である。図４は、モバイルＬＥＤ投光器１の上面図である。そして、図５は、一方のアーム６０を折り畳んだ状態のモバイルＬＥＤ投光器１の正面図である。
【００２１】
図１に示すように、モバイルＬＥＤ投光器１は、インバーター発電機１０と、インバーター電源供給器２０と、ＬＥＤランプ３０と、支持ベース４０と、スタンド５０とを備えて構成されている。
【００２２】
インバーター発電機１０は、例えば、ガソリン、灯油等を燃料としてエンジンを駆動することで得られた交流電源を直流に変換し、さらに、精度の高い正弦波に変換するものであり、こうして得られた交流電源をインバーター電源供給器２０あるいはＬＥＤランプ３０に供給するものである。本実施形態では、例えば、後述するＬＥＤランプ３０として、１００Ｗのものを４灯使用する場合には、出力９００Ｗ程度のインバーター発電機１０を使用することができる。
【００２３】
インバーター電源供給器２０は、上述のインバーター発電機１０で発生した電力を蓄えたり、ＬＥＤランプ３０に電力を供給したりするものであり、両者を並行して行うことも可能である。本実施形態では、モバイルＬＥＤ投光器１は、このインバーター電源供給器２０を備えていることにより、インバーター発電機１０の燃料が切れば場合でも、ＬＥＤ投光器３０に対する電力の供給が可能である。なお、インバーター電源供給器２０を設けることなく、インバーター発電機１０から直接、ＬＥＤランプ３０に電力を供給するようにしてもよい。また、これとは逆に、インバーター発電機１０を設けることなく、例えば、インバーター電源供給器２０をあらかじめ、充電しておいて、ここからＬＥＤランプ３０に電力を供給するようにしてもよい。すなわち、本実施形態のインバーター発電機１０とインバーター電源供給器２０とは、少なくとも一方を備えていれば十分である。ただし、双方を備えることにより、上述のように発電しながらの蓄電も可能となるので、燃料切れ等に対して有効に対処することができる。これら、インバーター発電機１０及びインバーター電源供給器２０は、モバイルＬＥＤ投光器１の構成要素のうちでは、重量物であり、後述する支持ベース４０上に搭載される。
【００２４】
ＬＥＤランプ３０は、図示例のものでは、左右２列、上下４列に整列された合計８個のＬＥＤチップ３１とこれらを保持する、正面視矩形形状の筺体３２等を有していて、４個のものが使用されている。ＬＥＤランプ３０は、１個が例えば、１００Ｗの出力で、６４００ルーメン（ｌｍ）の明るさとなり、４個の合計４００Ｗでは、２５６００ルーメンとなる。従来との比較で言うと、例えば、水銀ランプあるいはハロゲンランプでは、８００Ｗの出力で、３４０００ルーメンであり、４００Ｗに換算すると、１７０００ルーメンとなる。このように、ＬＥＤランプ３０は、水銀ランプ等と比較して、同じ出力であれば、水銀ランプ等よりも明るく、また、同じの明るさを確保するのであれば、水銀ランプ等よりも小さい出力で済む。これにより、例えば、道路工事等に必要な所定の明るさを確保するのであれば、ＬＥＤランプ３０は、水銀ランプ等よりも小さい出力で済むことになり、その分、上述のインバーター発電機１０として定格出力の小さいものを使用することが可能となる。さらに、定格出力の小さいインバーター発電機１０の使用が可能となるので、その分、低燃料消費率（低燃費）、排ガスの低排出量を実現するとともに、インバーター発電機１０のコンパクト化、軽量化、ひいてはモバイルＬＥＤ投光器１全体のコンパクト化、軽量化を図ることができる。ここで、ＬＥＤチップ３１の発光色、配向タイプ（狭角，中角，広角）等の仕様については、モバイルＬＥＤ投光器１の使用態様に応じて、例えば、一般的な道路工事における照明か、漁船で漁を行う際に、海中に入れて使用する照明か等の使用態様に合わせて選択するとよい。なお、ＬＥＤランプ３０全体は完全防水に形成されている。
【００２５】
支持ベース４０は、略板状に形成されていて、その表面（上面）４０ａに、重量物である上述のインバーター発電機１０、インバーター電源供給器２０が搭載される。支持ベース４０の裏面（下面）４０ｂには、４隅にそれぞれキャスター４１が取り付けられていて、モバイルＬＥＤ投光器１全体の移動を容易にしている。
【００２６】
スタンド５０は、支持ベース４０の後部に設けられていて、第１支柱５１と、第２支柱５２と、第３支柱５３と、昇降機構５４とを有している。なお、図１では、第２支柱５２、第３支柱５３が最大に延ばされた状態を示している。
【００２７】
第１支柱５１は、角筒状に形成されていて、支持ベース４０の後部に立設されている。第１支柱５１は、その下端部（基端部）５１ａ（図２参照）が支持ベース４０に固定されるとともに、上端部（先端部）５１ｂに開口部５１ｃを有している。
【００２８】
第２支柱５２は、上述の第１支柱５１よりも細い角筒状に形成されていて、第１支柱５１の内側に対して、開口部５１ｃから出入り可能に配設されている。第２支柱５２は、下端部５２ａに開口部（不図示）を有し、また上端部５２ｂに開口部５２ｃを有している。また、第２支柱５２の後面には、次に説明する昇降機構５４の一部を構成するラック５４ａが上下方向に設けられている。第２支柱５２の上端部５２ｂには、左右に貫通する位置決め孔ａ，ａが形成されている。この位置決め孔ａ，ａには、後述する位置決めピン５５が挿通される。
【００２９】
昇降機構５４は、ボックス５４ｂ内に収納された複数のギヤ（不図示）と、これに噛合するラック５４ａと、ギヤを駆動するハンドル５４ｃとを有していて、ハンドル５４ｃを一方向（例えば、右回り）に回転させることで、ギヤ及びラック５４ａを介して、第１支柱５１に対して、第２支柱５２を上昇させ、また、他方向（例えば、左回り）に回転させることで、第２支柱５２を下降させることができる。つまり、昇降機構５４は、ハンドル５４ｃを回転させることで、第１支柱５１の上端部５１ｂからの第２支柱５２の突出長さを調整することができるようになっている。
【００３０】
第３支柱５３は、上述の第２支柱５２よりも細い角筒状に形成されていて、第２支柱５２の内側に対して、開口部５２ｃから出入り可能に配設されている。第３支柱５３には、左右方向に貫通する位置決め孔ｂ１，ｂ１、ｂ２，ｂ２、ｂ３，ｂ３、ｂ４，ｂ４が下端部５３ａ側から上端部５３ｂ側に順に穿設されている。これらの位置決め孔には、位置決めピン５５が挿通される。図１に示す状態では、位置決めピン５５は、第２支柱５２の位置決め孔ａ，ａと、第３支柱５３の、一番下の位置決め孔ｂ１，ｂ１に挿通されている。この状態では、第３支柱５３は、最も延びた状態、すなわち、第２支柱５２の上端部５２ｃからの突出長さが最大となる状態である。この突出長さの調整は、第２支柱５２側の位置決め孔ａ，ａに挿通される位置決めピン５５を、第３支柱５３側のどの位置決め孔ｂ１〜ｂ４に挿通するかによって行うことができる。すなわち、図１に示す状態から、一旦、位置決めピン５５を抜いて、第３支柱５３を少し下げて、その位置決め孔ｂ２，ｂ２を第２支柱５２側に位置決め孔ａ，ａの高さに合わせ、これら位置決め孔ａ，ａ，ｂ２，ｂ２に位置決めピン５５を挿通することで、突出長さを短くすることができる。同様に、位置決め孔ａ，ａに挿通される位置決めピン５５を、第３支柱５３側の位置決め孔ｂ３，ｂ３に挿通させることで、突出長さを短くし、位置決め孔ｂ４，ｂ４に挿通させることで、さらに突出長さを短くすることができる。
【００３１】
本実施形態では、第３支柱５３は、位置決め孔ｂ１〜ｂ４等から位置決めピン５５を抜き、さらに、上方に持ち上げることで、完全に、第２支柱５２から取り外すことができる。これにより、モバイルＬＥＤ投光器１における、第３支柱５３を含めてこれよりも先の部分（後述する揺動機構５６、アーム６０、上述のＬＥＤランプ３０等）を個別に独立して使用することが可能となる。例えば、第３支柱５３を手で持って使用したり、また、第３支柱５３よりも先の部分を海中に沈めて、海上からではなく直接、海中を照らしたりすることを可能にする。
【００３２】
なお、第３支柱５３の下端部５３ａと、第１支柱５１の上端部５１ｂとは、チェーン５９で連結されていて、第３支柱５３の突出長さを調整している最中に、誤って、第２支柱５２から第３支柱５３が抜けてしまうことを防止している。なお、図２，図４，図５では、チェーン５９の図示は省略している。
【００３３】
第３支柱５３の上端部５３ｂには、後述するアーム６０を揺動自在に支持する揺動機構５６が取り付けられている。揺動機構５６は、第３支柱５３の上端部５３ｂに固定される固定部材５６ａと、固定部材５６ａの上部に固定された左右方向に長い下支持板５６ｂと、この下支持板５６ｂの上方に配置された上支持板５６ｃと、これら下支持板５６ｂと上支持板５６ｃとの後端側を連結する連結板５６ｄ（図３参照）と、上支持板５６ｃに固定されたリング状のアイボルト５６ｅとを有している。このアイボルト５６ｅは、例えば、クレーン等を使用して、モバイルＬＥＤ投光器１を吊り下げる際に、クレーン側のフック（不図示）を係合させるのに使用され、また、第３支柱５３を第２支柱５２から引き抜いた際に、第３支柱５３よりも先の部分を吊り下げるのにも使用される。下支持板５６ｂの左端部及び右端部近傍には、次に説明するアーム６０，６０を揺動自在に支持するボルト５７，５７が螺合されている。
【００３４】
アーム６０，６０は、図１に示す状態において、左右方向に長く形成されていて、それぞれの基端部を下方から貫通し、さらに、上述の揺動機構５６を貫通して、ナット５８が螺合されたボルト５７，５７によって、揺動自在に支持されている。アーム６０，６０は、ボルト５７，５７の上端に螺合されているナット５８，５８を緩めることで、揺動可能となり、揺動させて位置決めした後にナット５８，５８を締めつけることで、その位置に固定されるようになっている。アーム６０，６０の先端側には、調整具６１を介して上述のＬＥＤランプ３０が支持されている。調整具６１は、アーム６０の先端側に、上方（又は下方）から挿通された軸部６１ａと、この軸部６１ａと一体の「コ」字形の二股部６１ｂとを有していて、二股部６１ｂのそれぞれの先端によって、ＬＥＤライト３０の筺体３２の左側部及び右側部を回転自在に支持している。これにより、ＬＥＤライト３０は、軸部６１ａを基準に、つまり、上下方向の軸心を基準に、左右方向に向きを調整することができ、また、二股部６１ｂの先端部を基準に、つまり、横方向（図１では左右方向）を向いた軸心を基準に、上下方向に向きを調整することができる。また、アーム６０，６０は、ナット５８，５８を緩めて、先端側が前方に位置するように揺動させた後、ナット５８，５８を締め付けることにより、左右に広がっていた、４つのＬＥＤランプ３０を、前側で合わせて折り畳むことができる。
【００３５】
以上のモバイルＬＥＤ投光器１において、さらに、インバーター電源供給器２０とＬＥＤランプ３０とを長いコード（不図示）で接続し、このコードをリール（不図示）に巻いておくようにすれば、ＬＥＤランプ３０を含む第３支柱５３よりも先の部分を、コードの長さの範囲内の、インバーター電源供給器２０から遠く離れた場所で使用することが可能となる。
【００３６】
以上の構成のモバイルＬＥＤ投光器１は、以下のような効果を奏する。
【００３７】
・ランプとして、水銀ランプやハロゲンランプに代えて、ＬＥＤランプ３０を使用することにより、長寿命化を図ることができる。
【００３８】
・ＬＥＤランプ３０を一度消灯した後に、再点灯する際に、水銀ランプ等と異なり、短時間で再点灯することができる。
【００３９】
・ＬＥＤランプ３０は、所定の明るさを得るための消費電力が少なくて済むので、インバーター発電機１０の低出力化、コンパクト化、軽量化を図ることができ、これに伴い、モバイルＬＥＤ投光器１全体のコンパクト化、軽量化を図ることができる。さらに、インバーター発電機１０の燃料消費量、及び排ガス排出量を低減することができる。
【００４０】
・また、インバーター発電機１０、インバーター電源供給器２０を使用することで、ＬＥＤランプに電力を供給しながら、インバーター電源供給器２０に蓄電することができるので、例えば、インバーター発電機１０の燃料切れによる停止や、騒音を低下させる等のためのインバーター発電機１０の意図的な停止に際しても、インバーター電源供給器２０からＬＥＤランプ３０に電力を供給することが可能である。
【００４１】
・第１支柱５１に対して第２支柱５２の突出長さを、また、第２支柱５２に対して第３支柱５３の突出長さを調整可能であるので、つまり、支柱全体として伸縮させることが可能であるので、モバイルＬＥＤ投光器１の収納時や運搬時には、支柱を短縮させて短くしてコンパクト化する一方、使用時には引き延ばして大きく使用することができる。
【００４２】
・第３支柱５３は、第２支柱５２から引きぬくことができるので、第３支柱５３よりも先の部分、つまり第３支柱５３、揺動機構５６、アーム６０，６０、ＬＥＤランプ３０によって構成される部分を、独立して個別に使用することが可能となり、例えば、この部分を海中に投入するようにすれば、漁業において有効に使用することができる。すなわち、従来の投光器を使用した漁では、投光器は船上あるいや海面上に配置するしかなかったので、投光器からの光が海面で反射して、魚群等の目標物を見にくくしていたという欠点があった。しかし、本実施形態に係るモバイルＬＥＤ投光器１では、ＬＥＤライト３０等を直接海中に投入することが可能なので、反射光が発生することがなく、海中の目標物を視認しやすく有効に照明することができる。
【００４３】
・揺動機構５６に対してアーム６０，６０を揺動させ、アーム６０に対して、調整部材６１を回転させ、さらに、調整部材６１に対してＬＥＤランプ３０を回転（揺動）させることにより、ＬＥＤランプ３０を種々の向きに調整することが可能であるので、目標物を有効に照射することができる。
【００４４】
以上の説明では、ＬＥＤランプ３０が、図１の状態において略矩形である場合を説明したが、本考案は、ＬＥＤランプ３０として、任意の形状のものを使用することが可能である。
【符号の説明】
【００４５】
１  モバイルＬＥＤ投光器
１０  インバーター発電機
２０  インバーター電源供給器
３０  ＬＥＤランプ
３１  ＬＥＤチップ
４０  支持ベース
５０  スタンド
５１  第１支柱
５２  第２支柱
５３  第３支柱
５４  昇降機構
５６  揺動機構
６０  アーム
６１  調整具
【図１】
0003159847.tif 000003
【図２】
0003159847.tif 000004
【図３】
0003159847.tif 000005
【図４】
0003159847.tif 000006
【図５】
0003159847.tif 000007